【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
枠体と、
前記枠体に装着される軸受と、
前記軸受に回転可能に支持されるシャフトと、を備えたシャフト保持構造であって、
前記軸受は、
前記シャフトに対し、円周方向の支持をする第１軸受部と、
前記シャフトに対し、円周方向の支持をし、前記第１軸受部の中心軸を含む面に対して、前記第１軸受部とは反対側に設けられ、前記第１軸受部に近い側の端面が前記第１軸受部における端面から軸方向に離間している第２軸受部と、
前記シャフトと前記第１軸受部および前記第２軸受部を嵌合させて前記シャフトを前記枠体に取り付ける際に、前記シャフトの侵入を許容し、前記面に対して前記第１軸受部と反対側の位置にある第１逃げ部と、
前記シャフトと前記第１軸受部および前記第２軸受部を嵌合させて前記シャフトを前記枠体に取り付ける際に、前記シャフトの侵入を許容し、前記面に対して前記第２軸受部と反対側の位置にある第２逃げ部と、
前記第１軸受部と前記第２軸受部の間にあって、側方部より前記シャフトと前記軸受を相対的に分離可能とする前記第１軸受部および前記第２軸受部の軸方向に交差する方向に開口を備えた溝部と、
を有することを特徴とするシャフト保持構造。
【請求項２】
前記軸受に軸方向における位置規制用手段を備え、かつ前記枠体または前記シャフトに前記位置規制用手段が係合する係合部を備える請求項１に記載のシャフト保持構造。
【請求項３】
前記位置規制用手段と前記係合部との係合は解除可能に設けられる請求項２に記載のシャフト保持構造。
【請求項４】
前記第１軸受部および前記第２軸受部の少なくとも一方は、前記面に対して前記第１逃げ部および前記第２逃げ部の少なくとも一方へ突出した領域を備え、前記シャフトは前記突出した領域に対し変位可能であることを特徴とする請求項１乃至請求項３のいずれかに記載のシャフト保持構造。
【請求項５】
枠体に装着され、回転可能なシャフトを支持するためのシャフト保持用軸受であって、前記シャフトに対し、円周方向の支持をする第１軸受部と、
前記シャフトに対し、円周方向の支持をし、前記第１軸受部の中心軸を含む面に対して、前記第１軸受部とは反対側に設けられ、前記第１軸受部に近い側の端面が前記第１軸受部における端面から軸方向に離間している第２軸受部と、
前記シャフトと前記第１軸受部および前記第２軸受部を嵌合させて前記シャフトを前記枠体に取り付ける際に、前記シャフトの侵入を許容し、前記面に対して前記第１軸受部と反対側の位置にある第１逃げ部と、
前記シャフトと前記第１軸受部および前記第２軸受部を嵌合させて前記シャフトを前記枠体に取り付ける際に、前記シャフトの侵入を許容し、前記面に対して前記第２軸受部と反対側の位置にある第２逃げ部と、
前記第１軸受部と前記第２軸受部の間にあって、側方部より前記シャフトと前記軸受を相対的に分離可能とする前記第１軸受部および前記第２軸受部の軸方向に交差する方向に開口を備えた溝部と、
を有することを特徴とするシャフト保持用軸受。
【請求項６】
前記軸受の軸方向における位置規制のために前記枠体または前記シャフトの係合部と係合する位置規制用手段を更に備えることを特徴とする請求項５に記載のシャフト保持用軸受。
【請求項７】
前記位置規制用手段と前記係合部との係合は解除可能に設けられる請求項６に記載のシャフト保持用軸受。
【請求項８】
前記第１軸受部および前記第２軸受部の少なくとも一方は、前記面に対して前記第１逃げ部および前記第２逃げ部の少なくとも一方へ突出した領域を備え、前記シャフトは前記突出した領域に対し変位可能であることを特徴とする請求項５乃至請求項７のいずれかに記載のシャフト保持用軸受。
【請求項９】
枠体と、
前記枠体に装着される軸受と、
前記軸受に回転可能に支持されるシャフトと、を備えるシャフト保持構造に前記シャフトを保持させるシャフト保持方法であって、
前記軸受は
前記シャフトに対し、円周方向の支持をする第１軸受部と、
前記シャフトに対し、円周方向の支持をし、前記第１軸受部の中心軸を含む面に対して、前記第１軸受部とは反対側に設けられ、前記第１軸受部に近い側の端面が前記第１軸受部における端面から軸方向に離間している第２軸受部と、
前記シャフトと前記第１軸受部および前記第２軸受部を嵌合させて前記シャフトを前記枠体に取り付ける際に、前記シャフトの侵入を許容し、前記面に対して前記第１軸受部と反対側の位置にある第１逃げ部と、
前記シャフトと前記第１軸受部および前記第２軸受部を嵌合させて前記シャフトを前記枠体に取り付ける際に、前記シャフトの侵入を許容し、前記面に対して前記第２軸受部と反対側の位置にある第２逃げ部と、
前記第１軸受部と前記第２軸受部の間にあって、側方部より前記シャフトと前記軸受を相対的に分離可能とする前記第１軸受部および前記第２軸受部の軸方向に交差する方向に開口を備えた溝部と、
を有し、
前記シャフトを前記第１軸受部および前記第２軸受部の軸方向に対し傾斜した状態で前記溝部に挿入する第１段階と、
挿入された前記シャフトを前記第１軸受部および前記第２軸受部の軸方向に傾斜させる第２段階と、
前記シャフトを前記第１軸受部および前記第２軸受部が前記枠体に収納される位置まで軸方向に変位させる第３段階と、
を有することを特徴とするシャフト保持方法。
【請求項１０】
枠体に装着され、回転可能なシャフトを支持するためのシャフト保持用軸受の取り外し方法であって、
前記シャフト保持用軸受は、
前記シャフトに対し、円周方向の支持をする第１軸受部と、
前記シャフトに対し、円周方向の支持をし、前記第１軸受部の中心軸を含む面に対して、前記第１軸受部とは反対側に設けられ、前記第１軸受部に近い側の端面が前記第１軸受部における端面から軸方向に離間している第２軸受部と、
前記シャフトと前記第１軸受部および前記第２軸受部を嵌合させて前記シャフトを前記枠体に取り付ける際に、前記シャフトの侵入を許容し、前記面に対して前記第１軸受部と反対側の位置にある第１逃げ部と、
前記シャフトと前記第１軸受部および前記第２軸受部を嵌合させて前記シャフトを前記枠体に取り付ける際に、前記シャフトの侵入を許容し、前記面に対して前記第２軸受部と反対側の位置にある第２逃げ部と、
前記第１軸受部と前記第２軸受部の間にあって、側方部より前記シャフトと前記軸受を相対的に分離可能とする前記第１軸受部および前記第２軸受部の軸方向に交差する方向に開口を備えた溝部と、
を有し、
前記第１軸受部および前記第２軸受部を前記枠体から開放するために前記シャフトを軸方向に変位させた状態で、前記枠体から開放された前記第１軸受部および前記第２軸受部を前記シャフトの軸方向に対して傾斜させる第１段階と、
傾斜した前記第１軸受部および前記第２軸受部を前記溝部を介して前記シャフトから取り外す第２段階と、
を有することを特徴とするシャフト保持用軸受の取り外し方法。
【手続補正２】
【補正対象書類名】明細書
【補正対象項目名】０００８
【補正方法】変更
【補正の内容】
【０００８】
上記目的を達成するために、この発明に係わるシャフト保持構造の代表的な構成は、枠体と、前記枠体に装着される軸受と、前記軸受に回転可能に支持されるシャフトと、を備えたシャフト保持構造であって、前記軸受は、前記シャフトに対し、円周方向の支持をする第１軸受部と、前記シャフトに対し、円周方向の支持をし、前記第１軸受部の中心軸を含む面に対して、前記第１軸受部とは反対側に設けられ、前記第１軸受部に近い側の端面が前記第１軸受部における端面から軸方向に離間している第２軸受部と、前記シャフトと前記第１軸受部および前記第２軸受部を嵌合させて前記シャフトを前記枠体に取り付ける際に、前記シャフトの侵入を許容し、前記面に対して前記第１軸受部と反対側の位置にある第１逃げ部と、前記シャフトと前記第１軸受部および前記第２軸受部を嵌合させて前記シャフトを前記枠体に取り付ける際に、前記シャフトの侵入を許容し、前記面に対して前記第２軸受部と反対側の位置にある第２逃げ部と、前記第１軸受部と前記第２軸受部の間にあって、側方部より前記シャフトと前記軸受を相対的に分離可能とする前記第１軸受部および前記第２軸受部の軸方向に交差する方向に開口を備えた溝部と、を有することを特徴とする。
【手続補正３】
【補正対象書類名】明細書
【補正対象項目名】０００９
【補正方法】変更
【補正の内容】
【０００９】
また、シャフト保持用軸受の代表的な構成は、枠体に装着され、回転可能なシャフトを支持するためのシャフト保持用軸受であって、前記シャフトに対し、円周方向の支持をする第１軸受部と、前記シャフトに対し、円周方向の支持をし、前記第１軸受部の中心軸を含む面に対して、前記第１軸受部とは反対側に設けられ、前記第１軸受部に近い側の端面が前記第１軸受部における端面から軸方向に離間している第２軸受部と、前記シャフトと前記第１軸受部および前記第２軸受部を嵌合させて前記シャフトを前記枠体に取り付ける際に、前記シャフトの侵入を許容し、前記面に対して前記第１軸受部と反対側の位置にある第１逃げ部と、前記シャフトと前記第１軸受部および前記第２軸受部を嵌合させて前記シャフトを前記枠体に取り付ける際に、前記シャフトの侵入を許容し、前記面に対して前記第２軸受部と反対側の位置にある第２逃げ部と、前記第１軸受部と前記第２軸受部の間にあって、側方部より前記シャフトと前記軸受を相対的に分離可能とする前記第１軸受部および前記第２軸受部の軸方向に交差する方向に開口を備えた溝部と、を有することを特徴とする。
【手続補正４】
【補正対象書類名】明細書
【補正対象項目名】００１０
【補正方法】変更
【補正の内容】
【００１０】
また、シャフト保持方法の代表的な構成は、枠体と、前記枠体に装着される軸受と、前記軸受に回転可能に支持されるシャフトと、を備えるシャフト保持構造に前記シャフトを保持させるシャフト保持方法であって、前記軸受は前記シャフトに対し、円周方向の支持をする第１軸受部と、前記シャフトに対し、円周方向の支持をし、前記第１軸受部の中心軸を含む面に対して、前記第１軸受部とは反対側に設けられ、前記第１軸受部に近い側の端面が前記第１軸受部における端面から軸方向に離間している第２軸受部と、前記シャフトと前記第１軸受部および前記第２軸受部を嵌合させて前記シャフトを前記枠体に取り付ける際に、前記シャフトの侵入を許容し、前記面に対して前記第１軸受部と反対側の位置にある第１逃げ部と、前記シャフトと前記第１軸受部および前記第２軸受部を嵌合させて前記シャフトを前記枠体に取り付ける際に、前記シャフトの侵入を許容し、前記面に対して前記第２軸受部と反対側の位置にある第２逃げ部と、前記第１軸受部と前記第２軸受部の間にあって、側方部より前記シャフトと前記軸受を相対的に分離可能とする前記第１軸受部および前記第２軸受部の軸方向に交差する方向に開口を備えた溝部と、を有し、前記シャフトを前記第１軸受部および前記第２軸受部の軸方向に対し傾斜した状態で前記溝部に挿入する第１段階と、挿入された前記シャフトを前記第１軸受部および前記第２軸受部の軸方向に傾斜させる第２段階と、前記シャフトを前記第１軸受部および前記第２軸受部が前記枠体に収納される位置まで軸方向に変位させる第３段階と、を有することを特徴とする。
【手続補正５】
【補正対象書類名】明細書
【補正対象項目名】００１１
【補正方法】変更
【補正の内容】
【００１１】
また、シャフト保持用軸受の取り外し方法の代表的な構成は、枠体に装着され、回転可能なシャフトを支持するためのシャフト保持用軸受の取り外し方法であって、前記シャフト保持用軸受は、前記シャフトに対し、円周方向の支持をする第１軸受部と、前記シャフトに対し、円周方向の支持をし、前記第１軸受部の中心軸を含む面に対して、前記第１軸受部とは反対側に設けられ、前記第１軸受部に近い側の端面が前記第１軸受部における端面から軸方向に離間している第２軸受部と、前記シャフトと前記第１軸受部および前記第２軸受部を嵌合させて前記シャフトを前記枠体に取り付ける際に、前記シャフトの侵入を許容し、前記面に対して前記第１軸受部と反対側の位置にある第１逃げ部と、前記シャフトと前記第１軸受部および前記第２軸受部を嵌合させて前記シャフトを前記枠体に取り付ける際に、前記シャフトの侵入を許容し、前記面に対して前記第２軸受部と反対側の位置にある第２逃げ部と、前記第１軸受部と前記第２軸受部の間にあって、側方部より前記シャフトと前記軸受を相対的に分離可能とする前記第１軸受部および前記第２軸受部の軸方向に交差する方向に開口を備えた溝部と、を有し、前記第１軸受部および前記第２軸受部を前記枠体から開放するために前記シャフトを軸方向に変位させた状態で、前記枠体から開放された前記第１軸受部および前記第２軸受部を前記シャフトの軸方向に対して傾斜させる第１段階と、傾斜した前記第１軸受部および前記第２軸受部を前記溝部を介して前記シャフトから取り外す第２段階と、を有することを特徴とする。
【手続補正６】
【補正対象書類名】明細書
【補正対象項目名】００２０
【補正方法】変更
【補正の内容】
【００２０】
（シャフト保持構造）
本実施形態において、模式図を図１（ａ）、全体斜視図を図１（ｂ）に示すシャフト保持用軸受（以下、軸受という）は、シャフトＰの軸方向で第１領域Ｚ１を挟んで両端側に第２領域Ｚ２、第３領域Ｚ３を備える。第２領域Ｚ２には、Ｕ字状の溝Ｕ２を有する第１軸受部１１ｇ１が備わる。また、第３領域Ｚ３には、Ｕ字状の溝Ｕ３を有する第２軸受部１１ｇ２が備わる。そして、第１領域Ｚ１には側方部よりシャフトと軸受が相対的に分離可能となるように第１軸受部および第２軸受部の軸方向に交差する方向に開口の長さがシャフトの直径以上となるＵ字状の溝部Ｕ１を備える。図１（ａ）では、嵌合時の軸方向に対して垂直方向にＵ字状の溝部Ｕ１が形成されている。
【手続補正７】
【補正対象書類名】明細書
【補正対象項目名】００３４
【補正方法】変更
【補正の内容】
【００３４】
（側方部の定義）
ここで、上述した側方部とは、上記第１軸受部１１ｇ１の中心軸を含む面Ｍ（図１（ａ））に垂直な面（図１（ａ）における上側の点線部に相当）を基準として、Ｕ字状の溝部Ｕ１の溝谷部と反対側（開口先端側）の領域をいうものとする。